(57)【要約】      （修正有）【課題】従来の消しゴムケースとしての機能を保持しつつ、消しゴムケース以外の実用的使用用途を備えることによって、斬新で面白みがある消しゴムケースを提供する。【解決手段】消しゴム１１を収納しうるケース本体部１２と、該ケース本体部の外側面部に配設された爪やすり１４，１５部とから形成された構成とする。ケース本体部は、直方体に形成され、爪やすり部は上記ケース本体部の側面部に、上記ケース本体部の長さ方向に沿って配設されていることから、消しゴムを使用する場合、爪やすり部を使用する場合の何れの使用においても把持し易く、使い易い。【選択図】図１
0003162008.tif 000002
【実用新案登録請求の範囲】
【請求項１】
消しゴムを収納しうるケース本体部と、
上記ケース本体部の外側面部に配設された爪やすり部とから形成されていることを特徴とする消しゴムケース。
【請求項２】
上記ケース本体部は、直方体に形成され、上記爪やすり部は上記ケース本体部の側面部に、上記ケース本体部の長さ方向に沿って配設されていることを特徴とする請求項１記載の消しゴムケース。
【請求項３】
上記爪やすり部は、ケース本体部の対向する側面部に一対に配設されていることを特徴とする請求項２記載の消しゴムケース。
【請求項４】
上記一対の爪やすり部は、それぞれ表面の粗さが異なるやすりから形成されていることを特徴とする請求項３記載の消しゴムケース。
【考案の詳細な説明】
【技術分野】
【０００１】
本考案は、消しゴムを収納しうる消しゴムケースに関する。
【背景技術】
【０００２】
一般的に流通している消しゴムには、汚れや破損から消しゴムを保護するための消しゴムケースが装着されている。
上記消しゴムケースは、紙製若しくは合成樹脂等からなり、上記目的のほか指で把持した際の滑り止めの機能を有している。
【０００３】
従来の消しゴムケースにあっては、上記のように消しゴムの保護、及び把持時の滑り止め等が主たる目的であり、それ以外の作用効果を呈する機能を有しておらず、斬新性及び面白味に欠けるものであった。
しかしながら、表面に装飾を施すのみでは消しゴムケース以外の実用的要素が無く、消しゴムケースの形状を大きく変更する形態では、消しゴムケースとしての本来の使い勝手を損なってしまうという不具合があった。
【考案の開示】
【考案が解決しようとする課題】
【０００４】
本考案の解決する課題は、上記不具合を解決し、従来の消しゴムケースとしての機能を保持しつつ、消しゴムケース以外の実用的使用用途を備えることによって、斬新で面白みがある消しゴムケースを提供することにある。
【課題を解決するための手段】
【０００５】
上記課題を解決するために、請求項１に記載の考案に係る消しゴムケースは、消しゴムを収納しうるケース本体部と、上記ケース本体部の外側面部に配設された爪やすり部とから形成されていることを特徴とする。
従って、上記ケース本体部に消しゴムを収納した状態で、上記爪やすり部によって消しゴム不使用時は爪磨きとしても機能する。
【０００６】
また、請求項２に記載の考案に係る消しゴムケースは、上記ケース本体部は、直方体に形成され、上記爪やすり部は上記ケース本体部の側面部に、長さ方向に沿って配設されていることを特徴とする。
従って、上記ケース本体部の側面部を爪に当接させた状態で、上記ケース本体部を長さ方向に沿って摺動することによって、上記爪やすり部が爪磨きとして作用して爪を研磨する。
【０００７】
また、請求項３に記載した考案に係る消しゴムケースは、上記爪やすり部は、ケース本体部の対向する側面部に一対に配設されていることを特徴とする。
従って、消しゴム使用時に上記ケース本体部を把持する場合には、上記爪やすり部が配設されていない一対の側面部を把持することによって、指先が爪やすり部に触れることがない。
【０００８】
また、請求項４に記載した考案に係る消しゴムケースは、上記一対の爪やすり部は、それぞれ表面の粗さが異なるやすりから形成されていることを特徴とする。
従って、表面の目が粗い方のやすりを用いて爪表面の凹凸を削り、更に目が細かい方のやすりを用いて、爪表面を更に平滑に磨いて光沢を出す。
【考案の効果】
【０００９】
請求項１の考案にあっては、消しゴムを収納しうるケース本体部と、上記ケース本体部の外側面部に配設された爪やすり部とから形成されていることから、従来の消しゴムケースとしての機能を保持しつつ、消しゴムケース以外の実用的使用用途を備えることによって、斬新で面白みがある消しゴムケースを提供することができる。
【００１０】
また、請求項２の考案にあっては、上記ケース本体部は、直方体に形成され、上記爪やすり部は上記ケース本体部の側面部に、上記ケース本体部の長さ方向に沿って配設されていることから、消しゴムを使用する場合、爪やすり部を使用する場合の何れの使用においても把持し易く、使い易い。
【００１１】
また、請求項３の考案にあっては、上記爪やすり部は、ケース本体部の対向する側面部に一対に配設されていることから、消しゴム使用時においては、上記爪やすり部が配設されていない一対の側面部を把持することによって、指先が爪やすり部に触れることがなく、指先を上記爪やすり部で傷めてしまう虞が無い。
【００１２】
また、請求項４の考案にあっては、上記一対の爪やすり部は、それぞれ表面の粗さが異なるやすりから形成されていることから、粗い目のやすりと、細かい目のやすりとの組み合わせによって効率的に爪を磨き上げることができる。
【図面の簡単な説明】
【００１３】
【図１】本考案の一実施の形態を示し、実施例の形態における消しゴムケースに消しゴムを収納した状態を示す斜視図である。
【考案を実施するための最良の形態】
【００１４】
以下図面を用いて本実施例の形態について説明する。
図１に示すように、本実施例に係る消しゴムケース１０は、角筒に形成され、消しゴム１１を収納しうるケース本体部１２と、上記ケース本体部１２の外側面部１３に配設された爪やすり部１４、１５とから形成されている。
また、上記爪やすり部１４、１５は上記ケース本体部１２の対向する側面部１６、１７に、上記ケース本体部１２の長さ方向に沿って配設されている。
また、上記一対の爪やすり部１４、１５は、それぞれ表面の粗さが異なり、爪やすり部１４は目が粗く、爪やすり部１５は上記爪やすり部１４よりも細かな目に形成されている。
【実施例１】
【００１５】
本実施例の構成について以下添付図面を引用して詳述する。
図１は本実施例に係る消しゴムケース１０の斜視図である。
図１に示すように本実施例における消しゴムケース１０のケース本体部１２は、厚紙からなり、細長の四角筒形に形成されている。
【００１６】
上記ケース本体部１２の内部には、上記ケース本体部１２の内側寸法と略同一寸法に形成された消しゴム１１が収納され、上記消しゴム１１の一端部１１ａは、上記ケース本体部１２の一端部１２ａから長さ方向に突出して配設されている。
【００１７】
また、爪やすり部１４、１５は上記ケース本体部１２の対向する側面部１６、１７の略全域に配設されている。
【００１８】
本実施例の作用について添付図面を用いて説明する。
消しゴム１１を使用する場合には、上記ケース本体部１２において、上記爪やすり部１４、１５が配設されていない側面部１８、１９を指で把持する。
このため、消しゴム１１の使用時においては、指先に爪やすり部１４、１５が触れることは無く、爪やすり部１４、１５によって指先を重傷する、若しくは爪を削った削り屑によって指先が汚れる等の虞が無い。
【００１９】
また、爪やすり部１４、１５が上記ケース本体部１２の対向する側面部１６、１７に配設されているため、上記ケース本体部１２を持ち替える必要は無く、側面部１８、１９を指で把持したまま、上記爪やすり部１４、１５を爪に当接させ、磨くことができる。
【００２０】
以上のように、本実施例に係る消しゴムケース１０にあっては、消しゴムを収納する機能以外に、爪やすりを搭載していることから、斬新で、文具と化粧用具を兼ねることができるため、女子学生等が活用し易い。
【００２１】
また、ケース本体部１２及び爪やすり部１４、１５の色彩は自由であり、また表面には任意の装飾を施すことも可能であるため、外観品質が高く、アクセサリーとしての要素も兼ね備えた製品を提供することができる。
【００２２】
なお、ケース本体部の形状は、本実施例に示した四角筒形のほか、例えば多角筒形、円筒形であっても、指で把持するために爪やすり部が配設されていない面部が確保されていれば、本実施例と同様の作用効果を得ることが可能である。
【産業上の利用可能性】
【００２３】
本考案は、消しゴムを収納しうる消しゴムケースに広く適用が可能である。
【符号の説明】
【００２４】
１０  消しゴムケース
１１  消しゴム
１１ａ消しゴムの一端部
１２  ケース本体部
１２ａケース本体部の一端部
１３  ケース本体部の外側面部
１４  爪やすり部
１５  爪やすり部
１６  ケース本体部の側面部
１７  ケース本体部の側面部
１８  ケース本体部の側面部
１９  ケース本体部の側面部
【図１】
0003162008.tif 000003